(57)【要約】【課題】表示素子を構成する複数の駆動回路や発光部が同じ仕様で形成されており、特定の駆動回路に動作上特性差を生じているときに、表示される画像の品質に与える影響を軽減することができる表示装置を提供する。【解決手段】  各表示素子にあっては、第１番目乃至第Ｐ番目の発光部、及び、第１番目乃至第Ｐ番目の駆動回路の配置は同様であり、各表示素子において、第１番目乃至第Ｐ番目の発光部のそれぞれは、第１番目乃至第Ｐ番目の駆動回路のいずれか１つの駆動回路と一対一で対応して対を成すと共に、対を成す発光部と駆動回路とは接続されており、１つの走査線に接続されたＮ個の表示素子は、第１番目乃至第Ｐ番目の発光部と第１番目乃至第Ｐ番目の駆動回路との接続関係に基づいて少なくとも２つの範疇に分類される。【選択図】  図１
2010139966.tif 000002
【特許請求の範囲】
【請求項１】
（１）第１の方向にＮ個、第１の方向とは異なる第２の方向にＭ個、合計Ｎ×Ｍ個の、２次元マトリクス状に配列された表示素子、
（２）第１の方向に延びるＭ本の走査線、及び、
（３）第２の方向に延びるＮ本のデータ線、
を備えており、
第ｍ行（但し、ｍ＝１，２，３・・・，Ｍ）、第ｎ列目（但し、ｎ＝１，２，３・・・，Ｎ）の表示素子には、第ｍ番目の走査線と、第ｎ番目のデータ線が接続されており、
各表示素子は、第１番目乃至第Ｐ番目（但し、Ｐは２以上の自然数）の発光部、及び、第１番目乃至第Ｐ番目の駆動回路を備えており、
各表示素子にあっては、第１番目乃至第Ｐ番目の発光部、及び、第１番目乃至第Ｐ番目の駆動回路の配置は同様であり、
各表示素子において、第１番目乃至第Ｐ番目の発光部のそれぞれは、第１番目乃至第Ｐ番目の駆動回路のいずれか１つの駆動回路と一対一で対応して対を成すと共に、対を成す発光部と駆動回路とは接続されており、
１つの走査線に接続されたＮ個の表示素子は、第１番目乃至第Ｐ番目の発光部と第１番目乃至第Ｐ番目の駆動回路との接続関係に基づいて少なくとも２つの範疇に分類される表示装置。
【請求項２】
１つの走査線に接続されたＮ個の表示素子は、隣接して配置された所定数の表示素子毎に、複数の群を形成しており、
１つの群は同じ範疇に属する表示素子から構成されており、
前記複数の群において、或る群と、該或る群に隣接する群とは、それぞれ、異なる範疇に属する表示素子から構成されている請求項１に記載の表示装置。
【請求項３】
１つの走査線に接続されたＮ個の表示素子は、隣接して配置された所定数の表示素子毎に、複数の群を形成しており、
１つの群は、少なくとも２つの範疇に分類される表示素子から構成されている請求項１に記載の表示装置。
【請求項４】
１つの走査線に接続されたＮ個の表示素子において、或る表示素子と、該或る表示素子に隣接する表示素子とは、それぞれ、異なる範疇に属する表示素子から構成されている請求項１に記載の表示装置。
【請求項５】
Ｐの値は２であり、１つの走査線に接続されたＮ個の表示素子は、
第１番目の発光部に第１番目の駆動回路が接続されており、且つ、第２番目の発光部に第２番目の駆動回路が接続されている接続関係を備える第１の範疇の表示素子、及び、
第１番目の発光部に第２番目の駆動回路が接続されており、且つ、第２番目の発光部に第１番目の駆動回路が接続されている接続関係を備える第２の範疇の表示素子、
に分類される請求項１乃至請求項４のいずれか１項に記載の表示装置。
【請求項６】
発光部は有機エレクトロルミネッセンス発光部から成る請求項１乃至請求項５のいずれか１項に記載の表示装置。
【請求項７】
（１）第１の方向にＮ個、第１の方向とは異なる第２の方向にＭ個、合計Ｎ×Ｍ個の、２次元マトリクス状に配列された表示素子、
（２）第１の方向に延びるＭ本の走査線、及び、
（３）第２の方向に延びるＮ本のデータ線、
を備えており、
第ｍ行（但し、ｍ＝１，２，３・・・，Ｍ）、第ｎ列目（但し、ｎ＝１，２，３・・・，Ｎ）の表示素子には、第ｍ番目の走査線と、第ｎ番目のデータ線が接続されており、
１つの走査線に接続されたＮ個の表示素子のそれぞれはＮ個の副画素を構成し、或る所定色で発光する副画素を構成する表示素子は、第１番目乃至第Ｐ番目（但し、Ｐは２以上の自然数）の発光部、及び、第１番目乃至第Ｐ番目の駆動回路を備えており、
或る所定色で発光する副画素を構成する各表示素子にあっては、第１番目乃至第Ｐ番目の発光部、及び、第１番目乃至第Ｐ番目の駆動回路の配置は同様であり、
１つの走査線に接続された、或る所定色で発光する副画素を構成する表示素子において、第１番目乃至第Ｐ番目の発光部のそれぞれは、第１番目乃至第Ｐ番目の駆動回路のいずれか１つの駆動回路と一対一で対応して対を成すと共に、対を成す発光部と駆動回路とは接続されており、
１つの走査線に接続された、或る所定色で発光する副画素を構成する表示素子は、対を成す発光部と駆動回路との接続関係に基づいて、少なくとも２つの範疇に分類される表示装置。
【請求項８】
Ｐの値は２であり、１つの走査線に接続された、或る所定色で発光する副画素を構成する表示素子は、
第１番目の発光部に第１番目の駆動回路が接続されており、且つ、第２番目の発光部に第２番目の駆動回路が接続されている接続関係を備える第１の範疇の表示素子、及び、
第１番目の発光部に第２番目の駆動回路が接続されており、且つ、第２番目の発光部に第１番目の駆動回路が接続されている接続関係を備える第２の範疇の表示素子、
に分類される請求項７に記載の表示装置。
【請求項９】
発光部は有機エレクトロルミネッセンス発光部から成る請求項７又は請求項８に記載の表示装置。
【発明の詳細な説明】
【技術分野】
【０００１】
本発明は表示装置に関する。より詳しくは、複数の発光部と駆動回路とを備えている表示素子を用いた表示装置に関する。
【背景技術】
【０００２】
発光部を備えた表示素子、及び、係る表示素子を備えた表示装置が周知である。例えば、有機材料のエレクトロルミネッセンス（Electroluminescence：以下、ＥＬと略称する）を利用した有機エレクトロルミネッセンス発光部を備えた表示素子（以下、有機ＥＬ表示素子と略称する）は、低電圧直流駆動による高輝度発光が可能な表示素子として注目されている。
【０００３】
液晶表示装置と同様に、例えば、有機ＥＬ表示素子を備えた表示装置においても、駆動方式として、単純マトリクス方式、及び、アクティブマトリクス方式が周知である。アクティブマトリクス方式は、構造が複雑となるといった欠点はあるが、画像の輝度を高いものとすることができる等の利点を有する。アクティブマトリクス方式により駆動される有機ＥＬ表示素子にあっては、発光層を含む有機層等から構成された発光部に加えて、発光部を駆動するための駆動回路を備えている。
【０００４】
図１９に、駆動回路を備えた有機ＥＬ表示素子を用いた、アクティブマトリクス方式の表示装置の概念図を示す。表示装置は、
（１）走査回路１０１、
（２）信号出力回路１０２、
（３）第１の方向にＮ個、第１の方向とは異なる第２の方向（具体的には、第１の方向に直交する方向）にＭ個、合計Ｎ×Ｍ個の、２次元マトリクス状に配列された有機ＥＬ表示素子１０、
（４）走査回路１０１に接続され、第１の方向に延びるＭ本の走査線ＳＣＬ、
（５）信号出力回路１０２に接続され、第２の方向に延びるＮ本のデータ線ＤＴＬ、
（６）電源部１００、
を備えている。尚、図１９においては、便宜のため３×３個の有機ＥＬ表示素子１０を示したが、これは単なる例示に過ぎない。
【０００５】
図２０に、有機ＥＬ表示素子１０の等価回路図を示す。有機ＥＬ表示素子１０は、発光部１２と、発光部１２を駆動するための駆動回路１１とを備えている。図２０に示す例では、駆動回路１１は、書込みトランジスタＴＲW、駆動トランジスタＴＲD、及び、容量部Ｃ1を備えている。尚、書込みトランジスタＴＲWと駆動トランジスタＴＲDはｎチャネル型トランジスタであるとして説明する。
【０００６】
書込みトランジスタＴＲWにおいては、一方のソース／ドレイン領域は、データ線ＤＴＬに接続されており、ゲート電極は、走査線ＳＣＬに接続されている。駆動トランジスタＴＲDのゲート電極は、書込みトランジスタＴＲWの他方のソース／ドレイン領域及び容量部Ｃ1の他方の電極に接続されている。駆動トランジスタＴＲDの一方のソース／ドレイン領域は、給電線ＰＳ１に接続されている。給電線ＰＳ１には、電源部１００から、所定の駆動電圧としての電圧ＶCC（例えば２０ボルト）等が印加される。また、駆動トランジスタＴＲDの他方のソース／ドレイン領域は、発光部１２のアノード電極及び容量部Ｃ1の一方の電極に接続されている。発光部１２のカソード電極は、所定の電圧ＶCat（例えば０ボルト）が印加される給電線ＰＳ２に接続されている。符号ＣELは発光部１２の容量を表す。尚、図１９においては、図２０に示す給電線ＰＳ２の図示を省略した。
【０００７】
有機ＥＬ表示素子１０の基本的な動作を説明する。走査線ＳＣＬからの信号によりオン状態とされた書込みトランジスタＴＲWを介して、信号出力回路１０２から所定の映像信号ＶSigが駆動トランジスタＴＲDのゲート電極に印加される。その後、書込みトランジスタＴＲWがオフ状態となっても、容量部Ｃ1により、駆動トランジスタＴＲDのゲート電極とソース領域の間の電圧は、映像信号ＶSigに応じて或る所定の電圧に保持される。
【０００８】
発光部１２を流れる電流は、駆動トランジスタＴＲDのドレイン領域からソース領域へと流れるドレイン電流Ｉdsである。駆動トランジスタＴＲDが飽和領域において理想的に動作するとすれば、ドレイン電流Ｉdsは、以下の式（Ａ）で表すことができる。発光部１２はドレイン電流Ｉdsの値に応じた輝度で発光する。
【０００９】
Ｉds＝ｋ・μ・（Ｖgs−Ｖth）2      （Ａ）
但し、
μ  ：実効的な移動度
Ｌ  ：チャネル長
Ｗ  ：チャネル幅
Ｖgs：駆動トランジスタＴＲDのゲート電極とソース領域との間の電圧
Ｖth：駆動トランジスタＴＲDの閾値電圧
Ｃox：（ゲート絶縁層の比誘電率）×（真空の誘電率）／（ゲート絶縁層の厚さ）
ｋ≡（１／２）・（Ｗ／Ｌ）・Ｃox
とする。
【００１０】
ところで、有機ＥＬ表示素子１０を製造する際に、例えば異物が発光部１２のアノード電極とカソード電極との間に付着し、アノード電極とカソード電極の間が短絡状態となる場合がある。このような場合には、発光部１２は発光せず、非発光状態となる。そして、表示装置の滅点不良として視認されてしまう。
【００１１】
このため、従来より、滅点不良の程度を軽減することができる構造を備えた有機ＥＬ表示素子が提案されている。例えば、特開２００６−３３０４６９号公報（特許文献１）の図６及び図７には、複数の分割画素部（発光部に相当する）を備え、それぞれを独立した分割画素回路（駆動回路に相当する）を介して同一のゲートライン（走査線に相当する）、データライン（データ線に相当する）、電源ライン（給電線に相当する）に接続した有機ＥＬ表示素子が開示されている。
【特許文献１】特開２００６−３３０４６９号公報
【発明の開示】
【発明が解決しようとする課題】
【００１２】
１つの表示素子を複数の発光部と駆動回路から構成する場合、例えば、駆動回路の構成の差により、各駆動回路に動作上特性差が生ずることが考えられる。また、例えば、表示装置を構成する支持体上において、駆動回路の形成領域と走査線等の形成領域との位置関係が、駆動回路毎に相違する場合がある。このような種々の位置関係の相違により、例えば駆動回路における寄生容量の値等に差が発生し、各駆動回路の動作上特性差が生ずることも考えられる。そして、表示装置を構成する各表示素子において駆動回路や発光部が同じ仕様で形成されている場合、各表示素子における特定の駆動回路に同様の特性差が生じ、駆動回路の特性差に起因して特定の発光部の輝度に差を生じ、表示される画像の品質に影響を及ぼすことが考えられる。
【００１３】
従って、本発明の目的は、表示素子を構成する複数の駆動回路や発光部が同じ仕様で形成されており、特定の駆動回路に動作上特性差を生じているときに、表示される画像の品質に与える影響を軽減することができる表示装置を提供することにある。
【課題を解決するための手段】
【００１４】
上記の目的を達成するための本発明の第１の態様に係る表示装置、及び、上記の目的を達成するための本発明の第２の態様に係る表示装置は、
（１）第１の方向にＮ個、第１の方向とは異なる第２の方向にＭ個、合計Ｎ×Ｍ個の、２次元マトリクス状に配列された表示素子、
（２）第１の方向に延びるＭ本の走査線、及び、
（３）第２の方向に延びるＮ本のデータ線、
を備えており、
第ｍ行（但し、ｍ＝１，２，３・・・，Ｍ）、第ｎ列目（但し、ｎ＝１，２，３・・・，Ｎ）の表示素子には、第ｍ番目の走査線と、第ｎ番目のデータ線が接続されている表示装置に関する。
【００１５】
上記の目的を達成するための本発明の第１の態様に係る表示装置にあっては、
各表示素子は、第１番目乃至第Ｐ番目（但し、Ｐは２以上の自然数）の発光部、及び、第１番目乃至第Ｐ番目の駆動回路を備えており、
各表示素子にあっては、第１番目乃至第Ｐ番目の発光部、及び、第１番目乃至第Ｐ番目の駆動回路の配置は同様であり、
各表示素子において、第１番目乃至第Ｐ番目の発光部のそれぞれは、第１番目乃至第Ｐ番目の駆動回路のいずれか１つの駆動回路と一対一で対応して対を成すと共に、対を成す発光部と駆動回路とは接続されており、
１つの走査線に接続されたＮ個の表示素子は、第１番目乃至第Ｐ番目の発光部と第１番目乃至第Ｐ番目の駆動回路との接続関係に基づいて少なくとも２つの範疇に分類される。
【００１６】
本発明の第１の態様に係る表示装置にあっては、
１つの走査線に接続されたＮ個の表示素子は、隣接して配置された所定数の表示素子毎に、複数の群を形成しており、
１つの群は同じ範疇に属する表示素子から構成されており、
前記複数の群において、或る群と、該或る群に隣接する群とは、それぞれ、異なる範疇に属する表示素子から構成されている、
構成とすることができる。
【００１７】
あるいは又、本発明の第１の態様に係る表示装置にあっては、
１つの走査線に接続されたＮ個の表示素子は、隣接して配置された所定数の表示素子毎に、複数の群を形成しており、
１つの群は、少なくとも２つの範疇に分類される表示素子から構成されている、
構成とすることができる。
【００１８】
あるいは又、本発明の第１の態様に係る表示装置にあっては、
１つの走査線に接続されたＮ個の表示素子において、或る表示素子と、該或る表示素子に隣接する表示素子とは、それぞれ、異なる範疇に属する表示素子から構成されている、
構成とすることができる。
【００１９】
上述した各種の好ましい構成を含む本発明の第１の態様に係る表示装置にあっては、
Ｐの値は２であり、１つの走査線に接続されたＮ個の表示素子は、
第１番目の発光部に第１番目の駆動回路が接続されており、且つ、第２番目の発光部に第２番目の駆動回路が接続されている接続関係を備える第１の範疇の表示素子、及び、
第１番目の発光部に第２番目の駆動回路が接続されており、且つ、第２番目の発光部に第１番目の駆動回路が接続されている接続関係を備える第２の範疇の表示素子、
に分類される構成とすることができる。
【００２０】
上記の目的を達成するための本発明の第２の態様に係る表示装置にあっては、
１つの走査線に接続されたＮ個の表示素子のそれぞれはＮ個の副画素を構成し、或る所定色で発光する副画素を構成する表示素子は、第１番目乃至第Ｐ番目（但し、Ｐは２以上の自然数）の発光部、及び、第１番目乃至第Ｐ番目の駆動回路を備えており、
或る所定色で発光する副画素を構成する各表示素子にあっては、第１番目乃至第Ｐ番目の発光部、及び、第１番目乃至第Ｐ番目の駆動回路の配置は同様であり、
１つの走査線に接続された、或る所定色で発光する副画素を構成する表示素子において、第１番目乃至第Ｐ番目の発光部のそれぞれは、第１番目乃至第Ｐ番目の駆動回路のいずれか１つの駆動回路と一対一で対応して対を成すと共に、対を成す発光部と駆動回路とは接続されており、
１つの走査線に接続された、或る所定色で発光する副画素を構成する表示素子は、対を成す発光部と駆動回路との接続関係に基づいて、少なくとも２つの範疇に分類される。
【００２１】
本発明の第２の態様に係る表示装置にあっては、
Ｐの値は２であり、１つの走査線に接続された、或る所定色で発光する副画素を構成する表示素子は、
第１番目の発光部に第１番目の駆動回路が接続されており、且つ、第２番目の発光部に第２番目の駆動回路が接続されている接続関係を備える第１の範疇の表示素子、及び、
第１番目の発光部に第２番目の駆動回路が接続されており、且つ、第２番目の発光部に第１番目の駆動回路が接続されている接続関係を備える第２の範疇の表示素子、
に分類される構成とすることができる。
【００２２】
上述した各種の好ましい構成を含む本発明の第１の態様に係る表示装置、及び、上述した各種の好ましい構成を含む本発明の第２の態様に係る表示装置（以下、これらを単に、本発明の表示装置と呼ぶ場合がある）にあっては、発光部として、電流を流すことにより発光する電流駆動型の発光部を広く用いることができる。発光部として、有機エレクトロルミネッセンス発光部、無機エレクトロルミネッセンス発光部、ＬＥＤ発光部、半導体レーザ発光部等を挙げることができる。これらの発光部は、周知の材料や方法を用いて構成することができる。カラー表示の平面表示装置を構成する観点からは、中でも、発光部は有機エレクトロルミネッセンス発光部から成る構成が好ましい。有機エレクトロルミネッセンス発光部は、所謂上面発光型であってもよいし、下面発光型であってもよい。
【００２３】
本発明の第１の態様に係る表示装置にあっては、１つの走査線に接続されたＮ個の表示素子は、第１番目乃至第Ｐ番目の発光部と第１番目乃至第Ｐ番目の駆動回路との接続関係に基づいて少なくとも２つの範疇に分類される。また、本発明の第２の態様に係る表示装置にあっては、１つの走査線に接続された、或る所定色で発光する副画素を構成する表示素子は、対を成す発光部と駆動回路との接続関係に基づいて、少なくとも２つの範疇に分類される。これにより、駆動回路の特性差に起因して発光部の輝度に差を生じても、発光部の輝度差に伴う明暗は走査線あるいはデータ線に沿って多数並ぶことがなく視認され難くなる。従って、表示素子における特定の駆動回路に動作上特性差が生じたとしても、表示される画像の品質に与える影響を軽減することができる。
【００２４】
第１番目乃至第Ｐ番目の発光部と第１番目乃至第Ｐ番目の駆動回路を備えている、本発明の表示装置を構成する表示素子（以下、単に、本発明の表示素子と呼ぶ場合がある）にあっては、対を成す発光部と駆動回路との接続関係には、最大でＰの階乗の種類がある。例えばＰの値が２の場合にあっては、上述したように第１番目の発光部に第１番目の駆動回路が接続されており、且つ、第２番目の発光部に第２番目の駆動回路が接続されている接続関係、及び、第１番目の発光部に第２番目の駆動回路が接続されており、且つ、第２番目の発光部に第１番目の駆動回路が接続されている接続関係という２種類の接続関係がある。また、例えばＰの値が３の場合には６種類の接続関係がある。発光部の輝度差に伴う明暗を視認され難くする観点からは、基本的にはＰの階乗の種類の接続関係を備えた表示素子を用いて表示装置を構成することが好ましいが、少なくとも２種類の接続関係を備えていれば本発明の表示装置を構成することができる。従って、Ｐの値が３以上の場合に、表示装置においてＰの階乗の種類の接続関係全てが用いられることを必ずしも必要とするものではない。
【００２５】
本発明の表示素子にあっては、第１番目乃至第Ｐ番目の発光部の配置は特に限定するものではない。例えば、第１番目乃至第Ｐ番目の発光部が、データ線が延びる方向（第２の方向）に並ぶように配置されている構成とすることができる。あるいは又、第１番目乃至第Ｐ番目の発光部が、走査線が延びる方向（第１の方向）に並ぶように配置されていてもよいし、更には、マトリクス状に配置されていてもよい。第１番目乃至第Ｐ番目の駆動回路の配置についても同様である。
【００２６】
本発明の表示装置において、Ｎ個の表示素子が隣接した所定数の表示素子毎に複数の群を形成する構成にあっては、群を構成する表示素子の所定数は、表示装置の設計に応じて適宜設定すればよい。例えば、２つの表示素子から群を構成してもよいし、３つの表示素子から群を構成してもよいし、更には、それ以上の表示素子から群を構成してもよい。基本的には、発光部の輝度差に伴う明暗の視認性を考慮して、群を構成する表示素子の所定数を決定すればよい。尚、Ｎの値と所定数の値との関係によっては、端部に配置された表示素子の一部が剰余の表示素子として残る場合がある。この場合には、剰余となる表示素子によって１つの群が形成されるとして扱えばよい。
【００２７】
以上に説明した本発明の表示装置は、所謂モノクロ表示の構成であってもよいし、所謂カラー表示の構成であってもよい。
【００２８】
例えば、モノクロ表示の表示装置であるとき、表示装置を構成する表示素子のそれぞれによって、画素が構成される。表示装置を構成する表示素子の数をＮ×Ｍ個とした場合、画素数は（Ｎ×Ｍ）である。
【００２９】
一方、カラー表示の表示装置であるとき、１画素は、例えば、赤色を発光する赤色発光副画素、緑色を発光する緑色発光副画素、及び、青色を発光する青色発光副画素の３種類の副画素から構成されている。従って、表示装置を構成する表示素子の数をＮ×Ｍ個とした場合、画素数は（Ｎ×Ｍ）／３である。
【００３０】
尚、カラー表示の場合には、上述した３種の副画素に更に１種類あるいは複数種類の副画素を加えた１組（例えば、輝度向上のために白色光を発光する副画素を加えた１組、色再現範囲を拡大するために補色を発光する副画素を加えた１組、色再現範囲を拡大するためにイエローを発光する副画素を加えた１組、色再現範囲を拡大するためにイエロー及びシアンを発光する副画素を加えた１組）から、画素を構成することもできる。
【００３１】
表示装置の画素（ピクセル）の値として、ＶＧＡ（６４０，４８０）、Ｓ−ＶＧＡ（８００，６００）、ＸＧＡ（１０２４，７６８）、ＡＰＲＣ（１１５２，９００）、Ｓ−ＸＧＡ（１２８０，１０２４）、Ｕ−ＸＧＡ（１６００，１２００）、ＨＤ−ＴＶ（１９２０，１０８０）、Ｑ−ＸＧＡ（２０４８，１５３６）の他、（１９２０，１０３５）、（７２０，４８０）、（１２８０，９６０）等、画像表示用解像度の幾つかを例示することができるが、これらの値に限定するものではない。
【００３２】
本発明の表示装置において、走査線、データ線等の各種の配線の構成、構造は、周知の構成、構造とすることができる。また、発光部の構成、構造も、周知の構成、構造とすることができる。例えば、発光部を有機エレクトロルミネッセンス発光部とする場合には、アノード電極、正孔輸送層、発光層、電子輸送層、カソード電極等から構成することができる。走査線に接続される走査回路、データ線に接続される信号出力回路、その他の各種の回路の構成、構造も、周知の構成、構造とすることができる。
【００３３】
駆動回路は、トランジスタや容量部等から構成することができる。駆動回路を構成するトランジスタの導電型は、特に限定するものではない。トランジスタは、例えば、薄膜トランジスタ（ＴＦＴ）等から構成することができる。
【００３４】
駆動回路を構成する容量部は、例えば、一方の電極、他方の電極、及び、これらの電極に挟まれた誘電体層（絶縁層）から構成することができる。駆動回路を構成するトランジスタ及び容量部は、或る平面内に形成され、例えば、支持体上に形成される。発光部を有機エレクトロルミネッセンス発光部とする場合、発光部は、例えば、層間絶縁層を介して、駆動回路を構成するトランジスタ等の上方に形成されている。また、駆動回路は発光部の一端（発光部に備えられたアノード電極等）に接続されている。尚、半導体基板等にトランジスタを形成した構成であってもよい。
【００３５】
支持体等の構成材料として、高歪点ガラス、ソーダガラス（Ｎａ2Ｏ・ＣａＯ・ＳｉＯ2）、硼珪酸ガラス（Ｎａ2Ｏ・Ｂ2Ｏ3・ＳｉＯ2）、フォルステライト（２ＭｇＯ・ＳｉＯ2）、鉛ガラス（Ｎａ2Ｏ・ＰｂＯ・ＳｉＯ2）等のガラス材料の他、各種プラスチック材料を例示することができる。可撓性を有するプラスチック材料から成る支持体等を用いれば、可撓性を有する表示装置を構成することができる。
【００３６】
本発明の表示素子を構成する駆動回路として、広く周知の駆動回路を用いることができる。駆動回路の構成は特に限定するものではない。所謂電圧書込み型の駆動回路であってもよいし、電流書込み型の駆動回路であってもよい。
【００３７】
所謂電圧書込み型の駆動回路は、例えば、書込みトランジスタ、駆動トランジスタ、及び、容量部から構成することができる。電圧書込型の駆動回路の一例として、
駆動トランジスタにおいては、
（ａ−１）一方のソース／ドレイン領域は、所定の電源部に接続されており、
（ａ−２）他方のソース／ドレイン領域は、発光部の一端（アノード電極）に接続されており、
（ａ−３）ゲート電極は、書込みトランジスタの他方のソース／ドレイン領域に接続され、且つ、容量部の他方の電極に接続されており、
（ａ−４）駆動トランジスタがｎチャネル型トランジスタから成る場合には、他方のソース／ドレイン領域と容量部の一方の電極が接続されており、駆動トランジスタがｐチャネル型トランジスタから成る場合には、一方のソース／ドレイン領域と容量部の一方の電極が接続されており、
書込みトランジスタにおいては、
（ｂ−１）一方のソース／ドレイン領域は、所定のデータ線に接続されており、
（ｂ−２）ゲート電極は、所定の走査線に接続されている、
駆動回路を挙げることができる。尚、本発明の表示素子を構成する第１番目乃至第Ｐ番目の駆動回路にあっては、書込みトランジスタや容量部が共通化された構成とすることにより、駆動回路を構成するトランジスタや容量部の個数を削減することもできる。この場合には、第１番目乃至第Ｐ番目の駆動回路少なくとも１つの駆動回路が書込みトランジスタと容量部とを備えている構成とすればよい。
【発明の効果】
【００３８】
本発明の第１の態様に係る表示装置にあっては、１つの走査線に接続されたＮ個の表示素子は、第１番目乃至第Ｐ番目の発光部と第１番目乃至第Ｐ番目の駆動回路との接続関係に基づいて少なくとも２つの範疇に分類される。また、本発明の第２の態様に係る表示装置にあっては、１つの走査線に接続された、或る所定色で発光する副画素を構成する表示素子は、対を成す発光部と駆動回路との接続関係に基づいて、少なくとも２つの範疇に分類される。これにより、駆動回路の特性差に起因して発光部の輝度に差を生じても、発光部の輝度差に伴う明暗は走査線あるいはデータ線に沿って多数並ぶことがなく視認され難くなる。従って、各表示素子における特定の駆動回路に同様の特性差が生じたとしても、表示される画像の品質に与える影響を軽減することができる。
【発明を実施するための最良の形態】
【００３９】
以下、図面を参照して、実施例に基づき本発明を説明する。
【実施例１】
【００４０】
実施例１は、本発明の第１の態様及び第２の態様に係る表示装置に関する。図１は、実施例１の表示装置１の概念図である。図２は、図１に示す表示素子１１０1の等価回路図である。図３は、図１に示す表示素子１１０2の等価回路図である。尚、以下の説明においては、表示素子１１０1と表示素子１１０2とを纏めて、単に表示素子１１０と表す場合がある。
【００４１】
図１に示すように、実施例１の表示装置１は、
（１）第１の方向にＮ個、第１の方向とは異なる第２の方向にＭ個、合計Ｎ×Ｍ個の、２次元マトリクス状に配列された表示素子１１０、
（２）第１の方向に延びるＭ本の走査線ＳＣＬ、及び、
（３）第２の方向に延びるＮ本のデータ線ＤＴＬ、
を備えている。尚、図１においては、便宜のため、６×３個の表示素子１１０を示したが、これは単なる例示に過ぎない。尚、図１においては、後述する給電線ＰＳ２の図示を省略した。
【００４２】
第ｍ行（但し、ｍ＝１，２，３・・・，Ｍ）、第ｎ列目（但し、ｎ＝１，２，３・・・，Ｎ）の表示素子１１０（図１に示す例では、表示素子１１０1）には、第ｍ番目の走査線ＳＣＬmと、第ｎ番目のデータ線ＤＴＬnが接続されている。
【００４３】
各表示素子１１０は、第１番目乃至第Ｐ番目（但し、Ｐは２以上の自然数）の発光部、及び、第１番目乃至第Ｐ番目の駆動回路を備えている。実施例１においては、Ｐの値は２である。
【００４４】
図２及び図３に示すように、表示素子１１０（１１０1，１１０2）は、第１番目の発光部１１２1と第２番目の発光部１１２2、及び、第１番目の駆動回路１１１1と第２番目の駆動回路１１１2を備えている。後述するように、発光部１１２1，１１２2は有機エレクトロルミネッセンス発光部から成る。符号ＣEL1は発光部１１２1の容量を表す。符号ＣEL2は発光部１１２2の容量を表す。
【００４５】
後で詳しく説明するが、各表示素子１１０にあっては、第１番目乃至第２番目の発光部１１２1，１１２2、及び、第１番目乃至第２番目の駆動回路１１１1，１１１2の配置は同様である。また、各表示素子１１０において、第１番目乃至第２番目の発光部１１２1，１１２2のそれぞれは、第１番目乃至第２番目の駆動回路１１１1，１１１2のいずれか１つの駆動回路と一対一で対応して対を成すと共に、対を成す発光部と駆動回路とは接続されている。
【００４６】
後で詳しく説明するが、１つの走査線ＳＣＬに接続されたＮ個の表示素子１１０は、第１番目乃至第２番目の発光部１１２1，１１２2と第１番目乃至第２番目の駆動回路１１１1，１１１2との接続関係に基づいて少なくとも２つの範疇に分類される。より具体的には、上述した表示素子１１０1と表示素子１１０2といった２つの範疇に分類される。そして、実施例１にあっては、１つの走査線ＳＣＬに接続されたＮ個の表示素子１１０は、隣接して配置された所定数の表示素子１１０毎に、複数の群を形成している。１つの群は同じ範疇に属する表示素子１１０から構成されている。複数の群において、或る群と、該或る群に隣接する群とは、それぞれ、異なる範疇に属する表示素子１１０から構成されている。
【００４７】
実施例１の表示装置１は、表示素子１１０を複数（例えば、Ｎ×Ｍ＝１９２０×４８０）有する、カラー表示の表示装置である。１つの表示素子１１０は、１つの副画素を構成する。ここで、１画素は、走査線ＳＣＬの延びる方向に並んだ、赤色を発光する赤色発光副画素、緑色を発光する緑色発光副画素、及び、青色を発光する青色発光副画素の３種類の副画素から構成されている。従って、表示装置１は、（Ｎ／３）×Ｍの画素を有する。
【００４８】
換言すれば、１つの走査線ＳＣＬに接続されたＮ個の表示素子１１０のそれぞれはＮ個の副画素を構成し、或る所定色で発光する副画素を構成する表示素子１１０は、第１番目の発光部１１２1と第２番目の発光部１１２2、及び、第１番目の駆動回路１１１1と第２番目の駆動回路１１１2を備えている。
【００４９】
実施例１にあっては、赤色発光副画素、緑色発光副画素、及び、青色発光副画素の３種類の副画素を構成する表示素子１１０の全てが、第１番目の発光部１１２1と第２番目の発光部１１２2、及び、第１番目の駆動回路１１１1と第２番目の駆動回路１１１2を備えている。便宜のため、以下、第１番目の発光部１１２1を第１発光部１１２1と表し、第２番目の発光部１１２2を第２発光部１１２2と表す場合がある。同様に、第１番目の駆動回路１１１1を第１駆動回路１１１1と表し、第２番目の駆動回路１１１2を第２駆動回路１１１2と表す場合がある。後述する他の実施例においても同様である。
【００５０】
図２及び図３を参照して、第１駆動回路１１１1について説明する。第１駆動回路１１１1は、
（Ａ）第１駆動トランジスタＴＲD1、
（Ｂ）書込みトランジスタＴＲW、及び、
（Ｃ）一対の電極を備えた容量部Ｃ1、
を備えている。第１駆動トランジスタＴＲD1においては、
（Ａ−１）ゲート電極は、書込みトランジスタＴＲWの他方のソース／ドレイン領域に接続されており、且つ、容量部Ｃ1の他方の電極に接続されており、
（Ａ−２）一方のソース／ドレイン領域は、給電線ＰＳ１を介して、電源部１００に接続されており、
（Ａ−３）他方のソース／ドレイン領域は、容量部Ｃ1の一方の電極に接続されている。書込みトランジスタＴＲWにおいては、
（Ｂ−１）一方のソース／ドレイン領域は、データ線ＤＴＬに接続されており、
（Ｂ−２）ゲート電極は、走査線ＳＣＬに接続されている。
【００５１】
第２駆動回路１１１2について説明する。第２駆動回路１１１2は、第２駆動トランジスタＴＲD2を備えている。第２駆動トランジスタＴＲD2においては、ゲート電極は、書込みトランジスタＴＲWの他方のソース／ドレイン領域に接続されており、一方のソース／ドレイン領域は、給電線ＰＳ１を介して、電源部１００に接続されている。また、第２駆動トランジスタＴＲD2においては、他方のソース／ドレイン領域は、容量部Ｃ1の一方の電極に接続されている。
【００５２】
実施例１にあっては、第１駆動回路１１１1及び第２駆動回路１１１2を構成するトランジスタはｎチャネル型トランジスタから構成されている。尚、書込みトランジスタＴＲWをｐチャネル型トランジスタから構成してもよい。
【００５３】
上述したように、実施例１にあっては、第１駆動回路１１１1と第２駆動回路１１１2とにおいて、書込みトランジスタＴＲWや容量部Ｃ1が共通化されている。第１駆動回路１１１1と第２駆動回路１１１2とが、それぞれ個別に書込みトランジスタＴＲWと容量部Ｃ1を備えている構成に対し、トランジスタや容量部の個数が削減されている。
【００５４】
各表示素子１１０において、第１番目乃至第２番目の発光部１１２1，１１２2のそれぞれは、第１番目乃至第２番目の駆動回路１１１1，１１１2のいずれか１つの駆動回路と一対一で対応して対を成すと共に、対を成す発光部と駆動回路とは接続されている。
【００５５】
換言すれば、実施例１にあっては、１つの走査線ＳＣＬに接続された、或る所定色で発光する副画素を構成する表示素子１１０において、第１番目乃至第２番目の発光部１１２1，１１２2のそれぞれは、第１番目乃至第２番目の駆動回路１１１1，１１１2のいずれか１つの駆動回路と一対一で対応して対を成すと共に、対を成す発光部と駆動回路とは接続されている。
【００５６】
図２に示すように、表示素子１１０1にあっては、第１発光部１１２1と第１駆動回路１１１1とが対応して対を成し、第２発光部１１２2と第２駆動回路１１１2とが対応して対を成す。第１駆動回路１１１1を構成する第１駆動トランジスタＴＲD1の他方のソース／ドレイン領域と、第１発光部１１２1の一端（アノード電極）とが接続されている。第１発光部１１２1の他端（カソード電極）は、共通の給電線ＰＳ２に接続されている。第２駆動回路１１１2を構成する第２駆動トランジスタＴＲD2の他方のソース／ドレイン領域と、第２発光部１１２2の一端（アノード電極）とが接続されている。第１発光部１１２1と同様に、第２発光部１１２2の他端（カソード電極）も共通の給電線ＰＳ２に接続されている。
【００５７】
また、図３に示すように、表示素子１１０2にあっては、第１発光部１１２1と第２駆動回路１１１2とが対応して対を成し、第２発光部１１２2と第１駆動回路１１１1とが対応して対を成す。第２駆動回路１１１2を構成する第２駆動トランジスタＴＲD2の他方のソース／ドレイン領域と、第１発光部１１２1の一端（アノード電極）とが接続されている。第２発光部１１２2の他端（カソード電極）は、共通の給電線ＰＳ２に接続されている。第１駆動回路１１１1を構成する第１駆動トランジスタＴＲD1の他方のソース／ドレイン領域と、第２発光部１１２2の一端（アノード電極）とが接続されている。第１発光部１１２1と同様に、第２発光部１１２2の他端（カソード電極）も共通の給電線ＰＳ２に接続されている。
【００５８】
共通の給電線ＰＳ２には、所定の電圧ＶCat（例えば０ボルト）が印加される。また、給電線ＰＳ１には、電源部１００の動作に基づき、各走査線ＳＣＬ毎に所定のタイミングで、駆動電圧としての電圧ＶCC（例えば２０ボルト）が印加される。尚、電源部１００から、初期化用等の電圧が印加されてもよい。
【００５９】
図４の（Ａ）及び（Ｂ）、並びに、図５の（Ａ）乃至（Ｃ）を参照して、表示素子１１０における第１番目乃至第２番目の発光部１１２1，１１２2、及び、第１番目乃至第２番目の駆動回路１１１1，１１１2の配置について説明する。
【００６０】
図４の（Ａ）は、実施例１の表示装置１の模式的な一部断面図であり、後述する図４の（Ｂ）及び図５の（Ａ）において破線で示した部分のＡ−Ａ面に相当する一部断面図である。図４の（Ｂ）は、実施例１の表示装置１において、表示素子形成領域に対する駆動回路の配置を説明するための模式的な平面図である。図５の（Ａ）は、実施例１の表示装置１において、表示素子形成領域に対する発光部の配置を説明するための模式的な平面図である。図５の（Ｂ）は、実施例１の表示装置１において、表示素子１１０1における駆動回路と発光部の接続を説明するための模式的な平面図である。図５の（Ｃ）は、実施例１の表示装置１において、表示素子１１０2における駆動回路と発光部の接続を説明するための模式的な平面図である。
【００６１】
図４の（Ａ）に示すように、表示素子１１０は、ガラス等から成る支持体２０の上に形成されている。支持体２０の上には、薄膜トランジスタ（ＴＦＴ）や容量部から成る第１駆動回路１１１1、第２駆動回路１１１2、及び、給電線ＰＳ１が形成されている。尚、給電線ＰＳ１と駆動回路１１１1，１１１2との接続部分や、走査線ＳＣＬ等は隠れて見えない。支持体２０の裏面側は、例えば遮光層等で覆われている。
【００６２】
駆動回路１１１1，１１１2及び給電線ＰＳ１を含む支持体２０の全面が、層間絶縁層２１によって覆われている。そして、層間絶縁層２１の上には、第１発光部１１２1と第２発光部１１２2が形成されている。第１発光部１１２1は、アノード電極２２1、カソード電極２５、及び、アノード電極２２1とカソード電極２５との間に配された、発光層を含む有機層２４1から構成されている。第２発光部１１２2は、アノード電極２２2、カソード電極２５、及び、アノード電極２２2とカソード電極２５との間に配された、発光層を含む有機層２４2から構成されている。尚、便宜のため、図においては発光層を含む有機層２４1，２４2を１層として表した。カソード電極２５を覆うように、例えばガラスから成る基板２６が配されている。発光した光は、基板２６を通過して、外部に出射される。実施例１の表示装置１は、所謂上面発光型の表示装置である。
【００６３】
層間絶縁層２１の上には、アノード電極２２1、２２2の他、給電線ＰＳ２が形成されている。有機層２４1，２４2が形成されていない部分は、第２層間絶縁層２３で覆われている。カソード電極２５は、有機層２４1，２４2や第２層間絶縁層２３の全体を覆うように、全面に形成されており、第２層間絶縁層２３に設けられたコンタクトプラグを介して給電線ＰＳ２に接続されている。カソード電極２５は光透過性を有し、金属薄膜や、インジウムとスズの酸化物（ＩＴＯ）やインジウムと亜鉛の酸化物（ＩＺＯ）等の透明導電材料から構成されている。尚、カソード電極２５上に、有機層２４1，２４2への水分の到達防止を目的として、絶縁性の保護膜が形成されていてもよい。
【００６４】
図１に示す表示装置１の製造方法を説明する。先ず、支持体２０上に、走査線等の各種配線、容量部を構成する電極、半導体層等から成るトランジスタ、層間絶縁層、コンタクトホール等を、周知の方法により適宜形成する。次いで、周知の方法により成膜及びパターニングを行い、発光部１１２1，１１２2を形成する。そして、上記工程を経た支持体２０と基板２６を対向させ周囲を封止し、表示装置１を完成することができる。その後、必要に応じて外部の回路との結線を行えばよい。
【００６５】
図４の（Ｂ）及び図５の（Ａ）に示すように、各表示素子１１０は、支持体２０上の所定の領域（表示素子形成領域）に配置されている。図４の（Ｂ）に示すように、各表示素子１１０において、表示素子形成領域に対する第１駆動回路１１１1と第２駆動回路１１１2の配置関係は同様である。また、図５の（Ａ）に示すように、各表示素子１１０において、表示素子形成領域に対する第１発光部１１２1と第２駆発光部１１２2の配置関係も同様である。尚、図４の（Ｂ）及び図５の（Ａ）においては、給電線ＰＳ１以外の配線等の図示を省略した。
【００６６】
そして、図５の（Ｂ）に示すように、表示素子１１０1は、第１番目の発光部１１２1に第１番目の駆動回路１１１1が接続されており、且つ、第２番目の発光部１１２2に第２番目の駆動回路１１１2が接続されている接続関係を備える第１の範疇の表示素子である。また、図５の（Ｃ）に示すように、表示素子１１０2は、第１番目の発光部１１２1に第２番目の駆動回路１１１2が接続されており、且つ、第２番目の発光部１１２2に第１番目の駆動回路１１１1が接続されている接続関係を備える第２の範疇の表示素子である。図５の（Ｂ）及び（Ｃ）に示す接続部は、図４の（Ａ）に示す層間絶縁層２１に設けられている図示せぬコンタクトプラグから構成されている。
【００６７】
実施例１にあっては、１つの走査線ＳＣＬに接続されたＮ個の表示素子１１０は、隣接して配置された所定数（実施例１では３個）の表示素子１１０毎に、複数の群を形成している。具体的には、赤色発光副画素、緑色発光副画素、及び、青色発光副画素の順で並んだ３種類の副画素を構成する３つの表示素子１１０毎に、群を形成している。そして、１つの群は、同じ範疇に属する表示素子１１０から構成されている。
【００６８】
即ち、図１に示すように、第ｍ番目の走査線ＳＣＬmに接続されたＮ個の表示素子１１０にあっては、第ｎ番目のデータ線ＤＴＬnとそれに隣接するデータ線ＤＴＬn-1，ＤＴＬn+1に接続された３個の表示素子１１０1が１つの群を構成している。また、図示せぬ第（ｎ−４）番目のデータ線ＤＴＬn-4、及び、第（ｎ−３）番目のデータ線ＤＴＬn-3並びに第（ｎ−２）番目のデータ線ＤＴＬn-2に接続された３個の表示素子１１０2が、１つの群を構成している。更には、第（ｎ＋２）番目のデータ線ＤＴＬn+2、及び、図示せぬ第（ｎ＋３）番目のデータ線ＤＴＬn+3並びに第（ｎ＋４）番目のデータ線ＤＴＬn+4に接続された３個の表示素子１１０2が、１つの群を構成している。他の走査線ＳＣＬに接続されたＮ個の表示素子１１０においても同様である。実施例１にあっては、３個の表示素子１１０1と、３個の表示素子１１０2が、交互に並んで１つの走査線ＳＣＬに接続されている。このように、１つの群は同じ範疇に属する表示素子１１０1あるいは表示素子１１０2から構成されており、複数の群において、或る群と、該或る群に隣接する群とは、それぞれ、異なる範疇に属する表示素子１１０から構成されている。
【００６９】
図６の（Ａ）は、１つの走査線ＳＣＬに接続されたＮ個の表示素子１１０の接続関係を説明するための、表示装置１の一部の模式的な平面図である。図６の（Ｂ）は、表示装置１を全白表示としたときの、各表示素子における明部と暗部の配置を説明するための模式的な平面図である。
【００７０】
図６の（Ａ）において、「１−１」の表記は第１発光部１１２1に第１駆動回路１１１1が接続されている接続関係を示し、「２−２」の表記は第２発光部１１２2に第２駆動回路１１１2が接続されている接続関係を示す。同様に、「１−２」の表記は第１発光部１１２1に第２駆動回路１１１2が接続されている接続関係を示し、「２−１」の表記は第２発光部１１２2に第１駆動回路１１１1が接続されている接続関係を示す。また、図６の（Ａ）において、「Ｒ」は赤色発光副画素を構成する列を示し、「Ｇ」は緑色発光副画素を構成する列を示し、「Ｂ」は青色発光副画素を構成する列を示す。後述する他の図面においても同様である。
【００７１】
実施例１の表示装置１にあっては、図６の（Ａ）から明らかなように、１つの走査線ＳＣＬに接続された、或る所定色で発光する副画素を構成する表示素子１１０は、第１の範疇の表示素子１１０1、及び、第２の範疇の表示素子１１０2に分類される。
【００７２】
実施例１の表示装置１における表示素子１１０の基本的な動作を説明する。尚、各画素を構成する表示素子１１０は、線順次駆動されるとし、表示フレームレートをＦＲ（回／秒）とする。即ち、第ｍ行目に配列された（Ｎ／３）個の画素（Ｎ個の副画素）のそれぞれを構成する表示素子１１０が同時に駆動される。換言すれば、１つの行を構成する各表示素子１１０にあっては、その発光／非発光のタイミングは、それらが属する行単位で制御される。尚、１つの行を構成する各画素について映像信号を書き込む処理は、全ての画素について同時に映像信号を書き込む処理（以下、単に、同時書込み処理と呼ぶ場合がある）であってもよいし、各画素毎に順次映像信号を書き込む処理（以下、単に、順次書込み処理と呼ぶ場合がある）であってもよい。いずれの書込み処理とするかは、表示装置の構成に応じて適宜選択すればよい。
【００７３】
図２及び図３に示すように、表示素子１１０1及び表示素子１１０2のいずれにおいても、走査回路１０１の動作に基づき、走査線ＳＣＬからの信号によりオン状態とされた書込みトランジスタＴＲWを介して、信号出力回路１０２から所定の映像信号ＶSigが、第１駆動トランジスタＴＲD1と第２駆動トランジスタＴＲD2のゲート電極に印加される。その後、書込みトランジスタＴＲWがオフ状態となっても、容量部Ｃ1により、トランジスタＴＲD1，ＴＲD2のゲート電極とソース領域の間の電圧は、映像信号ＶSigに応じて或る所定の電圧に保持される。
【００７４】
図２に示す表示素子１１０1にあっては、第１発光部１１２1を流れる電流は、第１駆動トランジスタＴＲD1のドレイン領域からソース領域へと流れるドレイン電流Ｉds1である。第２発光部１１２2を流れる電流は、第２駆動トランジスタＴＲD2のドレイン領域からソース領域へと流れるドレイン電流Ｉds2である。第１発光部１１２1はドレイン電流Ｉds1の値に応じた輝度で発光する。第２発光部１１２2はドレイン電流Ｉds2の値に応じた輝度で発光する。
【００７５】
一方、図３に示す表示素子１１０2にあっては、第１発光部１１２1を流れる電流は、第２駆動トランジスタＴＲD2のドレイン領域からソース領域へと流れるドレイン電流Ｉds2である。第２発光部１１２2を流れる電流は、第１駆動トランジスタＴＲD1のドレイン領域からソース領域へと流れるドレイン電流Ｉds1である。第１発光部１１２1はドレイン電流Ｉds2の値に応じた輝度で発光する。第２発光部１１２2はドレイン電流Ｉds1の値に応じた輝度で発光する。
【００７６】
第１駆動トランジスタＴＲD1が飽和領域において理想的に動作するとすれば、電流Ｉds1は、以下の式（１）で表すことができる。
【００７７】
Ｉds1＝ｋ1・μ1・（Ｖgs1−Ｖth1）2      （１）
但し、
μ1  ：トランジスタＴＲD1の実効的な移動度
Ｌ1  ：トランジスタＴＲD1のチャネル長
Ｗ1  ：トランジスタＴＲD1のチャネル幅
Ｖgs1：トランジスタＴＲD1のゲート電極とソース領域との間の電圧
Ｖth1：トランジスタＴＲD1の閾値電圧
Ｃox1：（ゲート絶縁層の比誘電率）×（真空の誘電率）／（ゲート絶縁層の厚さ）
ｋ1≡（１／２）・（Ｗ1／Ｌ1）・Ｃox1
とする。
【００７８】
同様に、第２駆動トランジスタＴＲD2が飽和領域において理想的に動作するとすれば、電流Ｉds2は、以下の式（２）で表すことができる。
【００７９】
Ｉds2＝ｋ2・μ2・（Ｖgs2−Ｖth2）2      （２）
但し、
μ2  ：トランジスタＴＲD2の実効的な移動度
Ｌ2  ：トランジスタＴＲD2のチャネル長
Ｗ2  ：トランジスタＴＲD2のチャネル幅
Ｖgs2：トランジスタＴＲD2のゲート電極とソース領域との間の電圧
Ｖth2：トランジスタＴＲD2の閾値電圧
Ｃox2：（ゲート絶縁層の比誘電率）×（真空の誘電率）／（ゲート絶縁層の厚さ）
ｋ2≡（１／２）・（Ｗ2／Ｌ2）・Ｃox2
とする。
【００８０】
ここで、第１トランジスタＴＲD1と第２トランジスタＴＲD1が同じ仕様で構成されており、上述した移動度やチャネル長等の値が同じであるとする。また、第１発光部１１２1と第２発光部１１２2の電流−輝度特性も同じであるとする。この場合には、電圧Ｖgs1と電圧Ｖgs2とが同じ値であれば、電流Ｉds1と電流Ｉds2の値も同じ値となり、第１発光部１１２1と第２発光部１１２2とは同じ輝度で発光する。
【００８１】
しかしながら、例えば、第１駆動トランジスタＴＲD1のゲート電極から書込みトランジスタＴＲWの他方のソース／ドレイン領域に到る経路の長さと、第２駆動トランジスタＴＲD2のゲート電極から書込みトランジスタＴＲWの他方のソース／ドレイン領域に到る経路の長さとは相違する。同様に、第１駆動トランジスタＴＲD1の他方のソース／ドレイン領域から容量部Ｃ1の一方の電極に到る経路の長さと、第２駆動トランジスタＴＲD2の他方のソース／ドレイン領域から容量部Ｃ1の一方の電極に到る経路の長さとは相違する。
【００８２】
従って、駆動回路の構成の差や種々の位置関係の相違、例えば信号が伝搬する経路における寄生容量の影響等により、電圧Ｖgs1と電圧Ｖgs2との間に若干の差が生じ得る。そして、例えば、電圧Ｖgs2の値が電圧Ｖgs1の値よりも小さくなる傾向があるとすれば、この傾向は表示装置１を構成する全ての表示素子１１０において同様に認められる。そして、各表示素子１１０において、ドレイン電流Ｉds2の値はドレイン電流Ｉds1よりも小さい値となり、第２駆動回路１１１2に接続された発光部の輝度は、第１駆動回路１１１1に接続された発光部の輝度よりも相対的に低く観測される。
【００８３】
しかしながら、実施例１の表示装置１にあっては、１つの走査線ＳＣＬに接続されたＮ個の表示素子１１０は、表示素子１１０1と表示素子１１０2といった２つの範疇に分類される。そして、３個の表示素子１１０1から成る群と、３個の表示素子１１０2から成る群とが、交互に並んで１つの走査線ＳＣＬに接続されている。このように、１つの群は同じ範疇に属する表示素子１１０1あるいは表示素子１１０2から構成されており、複数の群において、或る群と、該或る群に隣接する群とは、それぞれ、異なる範疇に属する表示素子１１０から構成されている。従って、例えば表示装置１を全白表示としたとき、図６の（Ｂ）に示すように、斜線を付した相対的に低い輝度で観測される部分と斜線を付していない相対的に高い輝度で観測される部分とが、１画素毎に交互に配置される。
【００８４】
実施例１の表示装置１との対比のため、比較例の表示装置について説明する。図７の（Ａ）は、いずれか一方の接続関係の表示素子１１０のみを用いた比較例の表示装置の一部の模式的な平面図である。図７の（Ａ）では、表示素子１１０1のみを用いた例を示した。図７の（Ｂ）は、比較例の表示装置を全白表示としたときの、各表示素子における明部と暗部の配置を説明するための模式的な平面図である。
【００８５】
比較例の表示装置にあっては、例えば表示装置を全白表示としたとき、図７の（Ｂ）に示すように、斜線を付した相対的に低い輝度で観測される部分が走査線ＳＣＬの延びる方向に沿って並び、暗線として視認される。また、斜線を付していない相対的に高い輝度で観測される部分も走査線ＳＣＬの延びる方向に沿って並び、明線として視認される。これに対し、実施例１の表示装置１にあっては、斜線を付した相対的に低い輝度で観測される部分と斜線を付していない相対的に高い輝度で観測される部分とが、１画素毎に交互に配置されるので視認され難い。従って、各表示素子１１０における特定の駆動回路に同様の特性差が生じたとしても、表示される画像の品質に与える影響を軽減することができる。
【００８６】
尚、以上の説明においては、１つの走査線ＳＣＬにおけるＮ個の表示素子１１０の群の構成は、他の走査線においても同様であるとしたが、これに限るものではない。例えば、図８の（Ａ）に示すように、隣接する走査線ＳＣＬにおいて表示素子１１０の接続関係を交互に入れ替えた構成とすることもできる。
【００８７】
あるいは又、例えば走査線ＳＣＬmにおいては、図６と同様に赤色発光副画素、緑色発光副画素、及び、青色発光副画素の順で並んだ３種類の副画素を構成する３つの表示素子１１０毎に群を構成するが、走査線ＳＣＬm-1，ＳＣＬm+1，においては、群の構成を１素子乃至２素子分シフトした構成とすることもできる。一例として、走査線ＳＣＬm-1においては−Ｘ方向に１表示素子分シフトし、走査線ＳＣＬm+1においては群の構成を＋Ｘ方向に１表示素子分シフトした構成を、図８の（Ｂ）に示す。
【実施例２】
【００８８】
実施例２は、本発明の第１の態様に係る表示装置２に関する。図９は、実施例２の表示装置２の概念図である。実施例２の表示装置２は、表示素子の配列が相違する他は、実施例１の表示装置１と同様の構成である。実施例２の表示装置２を構成する各構成要素は、実施例１において説明したと同様であるので、構成要素についての説明は省略する。以下の説明においては、構成要素には実施例１と同様の参照番号を付して説明する。
【００８９】
実施例１と同様に、１つの走査線ＳＣＬに接続されたＮ個の表示素子１１０は、隣接して配置された所定数（３個）の表示素子１１０毎に、複数の群を形成している。具体的には、赤色発光副画素、緑色発光副画素、及び、青色発光副画素の順で並んだ３種類の副画素を構成する３つの表示素子１１０毎に、群を形成している。
【００９０】
図９に示すように、第ｍ番目の走査線ＳＣＬmに接続されたＮ個の表示素子１１０にあっては、第ｎ番目のデータ線ＤＴＬnとそれに隣接するデータ線ＤＴＬn-1，ＤＴＬn+1に接続された３個の表示素子１１０が１つの群を構成している。また、図示せぬ第（ｎ−４）番目のデータ線ＤＴＬn-4、及び、第（ｎ−３）番目のデータ線ＤＴＬn-3並びに第（ｎ−２）番目データ線ＤＴＬn-2に接続された３個の表示素子１１０が１つの群を構成している。更には、第（ｎ＋２）番目のデータ線ＤＴＬn+2、及び、図示せぬ第（ｎ＋３）番目のデータ線ＤＴＬn+3並びに第（ｎ＋４）番目のデータ線ＤＴＬn+4に接続された３個の表示素子１１０が１つの群を構成している。他の走査線ＳＣＬに接続されたＮ個の表示素子１１０においても同様である。
【００９１】
実施例１においては、或る群と、該或る群に隣接する群とは、それぞれ、異なる範疇に属する表示素子１１０から構成されている。これに対し、実施例２にあっては、１つの群は、少なくとも２つの範疇に分類される表示素子１１０から構成されている。具体的には、実施例２にあっては、中央に配された表示素子１１０2と、その両側に配された表示素子１１０1から、１つの群が構成されている。
【００９２】
図１０の（Ａ）は、１つの走査線ＳＣＬに接続されたＮ個の表示素子１１０の接続関係と、表示装置を全白表示としたときの各表示素子における明部と暗部の配置を説明するための模式的な平面図である。
【００９３】
図１０の（Ａ）に示すように、赤色発光副画素、緑色発光副画素、及び、青色発光副画素の順で並んだ３種類の副画素を構成する３つの表示素子１１０毎に群を構成している。そして、実施例２にあっては、各群の赤色発光副画素と青色発光副画素は表示素子１１０1から構成されており、緑色発光副画素は表示素子１１０2から構成されている。
【００９４】
従って、例えば表示装置２を全白表示としたとき、図１０の（Ａ）に示すように、斜線を付した相対的に低い輝度で観測される部分と斜線を付していない相対的に高い輝度で観測される部分とが、１画素内で交互に配置されるので視認され難い。そして、各表示素子１１０における特定の駆動回路に同様の特性差が生じたとしても、表示される画像の品質に与える影響を軽減することができる。
【００９５】
尚、以上の説明においては、１つの走査線ＳＣＬにおけるＮ個の表示素子１１０の群の構成は、他の走査線においても同様であるとしたが、これに限るものではない。例えば、図１０の（Ｂ）に示すように、隣接する走査線ＳＣＬにおいて表示素子１１０の接続関係を交互に入れ替えた構成とすることもできる。
【００９６】
あるいは又、例えば走査線ＳＣＬmにおいては、図１０と同様に赤色発光副画素、緑色発光副画素、及び、青色発光副画素の順で並んだ３種類の副画素を構成する３つの表示素子１１０毎に群を構成するが、走査線ＳＣＬm-1，ＳＣＬm+1，においては、群の構成を１素子乃至２素子分シフトした構成とすることもできる。一例として、走査線ＳＣＬm-1においては−Ｘ方向に１表示素子分シフトし、走査線ＳＣＬm+1においては群の構成を＋Ｘ方向に１表示素子分シフトした構成を、図１１の（Ａ）に示す。
【００９７】
あるいは又、１群を構成する赤色副画素と青色副画素のいずれか一方を構成する表示素子１１０と、他方を構成する表示素子及び緑色副画素を構成する表示素子１１０とを、異なる範疇に分類される表示素子１１０から構成することもできる。図１１の（Ｂ）に、例えば、赤色副画素と緑色副画素を表示素子１１０1から構成し、青色副画素を表示素子１１０2から構成した例を示す。
【実施例３】
【００９８】
実施例３は、本発明の第１の態様及び第２の態様に係る表示装置３に関する。図１２は、実施例３の表示装置３の概念図である。実施例３の表示装置３は、表示素子の配列が相違する他は、実施例１の表示装置１と同様の構成である。実施例３の表示装置３を構成する各構成要素は、実施例１において説明したと同様であるので、説明を省略する。以下の説明においても、構成要素には実施例１と同様の参照番号を付して説明する。
【００９９】
実施例３においても、１つの走査線ＳＣＬに接続されたＮ個の表示素子１１０は、赤色発光副画素、緑色発光副画素、及び、青色発光副画素の順で並んだ３種類の副画素を構成する３つの表示素子１１０が順次並んだ構成である。しかしながら、実施例３にあっては、所定数の表示素子１１０毎の群は構成していない。実施例３にあっては、１つの走査線に接続されたＮ個の表示素子１１０において、或る表示素子１１０と、該或る表示素子１１０に隣接する表示素子１１０とは、それぞれ、異なる範疇に属する表示素子１１０から構成されている。
【０１００】
具体的には、１つの走査線に接続されたＮ個の表示素子１１０は、第１の範疇の表示素子１１０1、及び、第２の範疇の表示素子１１０2に分類される。そして、表示素子１１０1と表示素子１１０2とが交互に配列されている。
【０１０１】
図１２に示すように、第ｍ番目の走査線ＳＣＬmに接続されたＮ個の表示素子１１０にあっては、第ｎ番目のデータ線ＤＴＬnには表示素子１１０2が接続されており、それに隣接するデータ線ＤＴＬn-1，ＤＴＬn+1には表示素子１１０1が接続されている。同様に、それらに隣接するデータ線ＤＴＬn-2，ＤＴＬn+2には表示素子１１０2が接続されている。他の走査線ＳＣＬに接続されたＮ個の表示素子１１０においても同様である。
【０１０２】
図１３の（Ａ）は、１つの走査線ＳＣＬに接続されたＮ個の表示素子１１０の接続関係と、表示装置３を全白表示としたときの各表示素子における明部と暗部の配置を説明するための模式的な平面図である。
【０１０３】
図１３の（Ａ）に示すように、１つの走査線ＳＣＬに接続されたＮ個の表示素子１１０にあっては、表示素子１１０1には表示素子１１０2が隣接し、表示素子１１０2には表示素子１１０1が隣接するように配列している。従って、例えば表示装置３を全白表示としたとき、図１３の（Ａ）に示すように、斜線を付した相対的に低い輝度で観測される部分と斜線を付していない相対的に高い輝度で観測される部分とが、１表示素子１１０毎に交互に配置されるので視認され難い。そして、各表示素子１１０における特定の駆動回路に同様の特性差が生じたとしても、表示される画像の品質に与える影響を軽減することができる。
【０１０４】
尚、以上の説明においては、１つの走査線ＳＣＬにおけるＮ個の表示素子１１０の配列は、他の走査線においても同様であるとしたが、これに限るものではない。例えば、図１３の（Ｂ）に示すように、隣接する走査線ＳＣＬにおいて表示素子１１０の接続関係を交互に入れ替えた構成とすることもできる。
【実施例４】
【０１０５】
実施例４は、本発明の第２の態様に係る表示装置４に関する。図１４は、実施例４の表示装置４の概念図である。実施例４の表示装置４は、一部の表示素子の構成が相違する他は、実施例１の表示装置１と同様の構成である。実施例１の表示装置１と共通する構成要素については説明を省略する。以下の説明においても、実施例１の表示装置１と共通する構成要素には実施例１と同様の参照番号を付して説明する。
【０１０６】
色に対する人間の識別力は色の種類により相違する。例えば、カラー表示の表示装置においては、赤色副画素や緑色副画素が滅点状態にある場合と、青色副画素が滅点状態にある場合とでは、前者がより認識されやすい。換言すれば、青色副画素の滅点は目立ち難く、青色副画素を構成する表示素子に冗長性を持たせる必要性は、他の副画素を構成する表示素子よりも低い。
【０１０７】
実施例４の表示装置４は、図１に示す実施例１の表示装置１において、青色副画素を構成する表示素子１１０を、１つの発光部と１つの駆動回路を備える表示素子４１０で置き換えた構成である。
【０１０８】
先ず、表示素子４１０について説明する。図１５は、図１４に示す表示素子４１０の等価回路図である。図１６の（Ａ）は、実施例４の表示装置４において、表示素子形成領域に対する駆動回路の配置を説明するための模式的な平面図である。図１６の（Ｂ）は、実施例４の表示装置４において、表示素子形成領域に対する発光部の配置を説明するための模式的な平面図である。図１６の（Ｃ）は、実施例４の表示装置４において、表示素子４１０における駆動回路と発光部の接続を説明するための模式的な平面図である。
【０１０９】
図１５に示すように、表示素子４１０は、駆動回路４１１と発光部４１２とを備えている。駆動回路４１１の構成は、基本的には、図２及び図３を参照して説明した表示素子１１０の第１駆動回路１１１1と同様である。但し、駆動回路４１１にあっては、駆動トランジスタＴＲD1は、第１駆動回路１１１1の駆動トランジスタＴＲD1に対し、略２倍の電流を流すように設定されている。実施例４では、図１６の（Ａ）に示すように、表示素子形成領域に対して、駆動回路４１１は、駆動回路１１１1と同様の位置に設けられているとしたが、これに限るものではない。
【０１１０】
発光部４１２は、基本的には、図４の（Ａ）に示す発光部１１２1と１１２2とを一体とした構成である。図１５に示す符号ＣEL’は、発光部４１２の容量を示す。図１６の（Ｂ）に示すように、表示素子形成領域に対して、発光部４１２は、第１発光部１１２1と第２発光部１１２2とを一体とした領域に相当する領域に設けられている。図１６の（Ｃ）に示す接続部は、図４の（Ａ）に示す層間絶縁層２１に設けられている図示せぬコンタクトプラグから構成されている。
【０１１１】
実施例４の表示装置４にあっては、１つの走査線ＳＣＬに接続されたＮ個の表示素子１１０，４１０のそれぞれはＮ個の副画素を構成する。そして、或る所定色（具体的には、赤色あるいは緑色）で発光する副画素を構成する表示素子１１０は、第１番目の発光部１１２1と第２番目の発光部１１２2、及び、第１番目の駆動回路１１１1と第２番目の駆動回路１１１2を備えている。そして、或る所定色で発光する副画素を構成する表示素子１１０は、第１の範疇の表示素子１１０1、及び、第２の範疇の表示素子１１０2に分類される。
【０１１２】
図１７の（Ａ）は、１つの走査線ＳＣＬに接続されたＮ個の表示素子１１０の接続関係と、実施例４の表示装置４を全白表示としたときの各表示素子における明部と暗部の配置を説明するための模式的な平面図である。実施例１において図６の（Ｂ）を参照して説明したと同様に、斜線を付した相対的に低い輝度で観測される部分と斜線を付していない相対的に高い輝度で観測される部分とが、１画素毎に交互に配置されるので視認され難い。
【０１１３】
尚、以上の説明においては、１つの走査線ＳＣＬにおけるＮ個の表示素子１１０，４１０の配列は、他の走査線においても同様であるとしたが、これに限るものではない。例えば、図１７の（Ｂ）に示すように、隣接する走査線ＳＣＬにおいて表示素子１１０の接続関係を交互に入れ替えた構成とすることもできる。
【０１１４】
また、或る一色で発光する副画素のみを構成する表示素子１１０が、第１の範疇の表示素子１１０1、及び、第２の範疇の表示素子１１０2に分類される構成であってもよい。図１８の（Ａ）及び（Ｂ）は、例えば、赤色で発光する副画素を構成する表示素子１１０のみが第１の範疇の表示素子１１０1、及び、第２の範疇の表示素子１１０2に分類される構成であるときの、各表示素子における明部と暗部の配置を説明するための模式的な平面図である。図１８の（Ａ）は図１７の（Ａ）に対応する図であり、図１８の（Ｂ）は図１７の（Ｂ）に対応する図である。
【０１１５】
以上、好ましい実施例に基づき本発明を説明したが、本発明はこの実施例に限定されるものではない。実施例における表示装置や表示素子の構成、構造、製造方法、表示装置や表示素子を構成する材料等は例示であり、適宜変更することができる。表示装置や表示素子の駆動方法における各工程も例示であり、適宜変更することができる。
【０１１６】
例えば、実施例１及び実施例２においては、３つの表示素子から１画素が構成され、表示素子の１群も３つの表示素子から構成されるとしたが、これに限るものではない。例えば６つの表示素子から１群が構成されていてもよい。また、１画素を構成する表示素子の全てが同じ群に属する構成であってもよいし、別の群に属する構成であってもよい。また、実施例１乃至実施例４では表示装置はカラー表示装置であるとして説明したが、モノクロ表示の表示装置であってもよい。
【図面の簡単な説明】
【０１１７】
【図１】図１は、実施例１の表示装置の概念図である。
【図２】図２は、図１に示す表示素子１１０1の等価回路図である。
【図３】図３は、図１に示す表示素子１１０2の等価回路図である。
【図４】図４の（Ａ）は、実施例１の表示装置の模式的な一部断面図であり、後述する図４の（Ｂ）及び図５の（Ａ）において破線で示した部分のＡ−Ａ面に相当する一部断面図である。図４の（Ｂ）は、実施例１の表示装置において、表示素子形成領域に対する駆動回路の配置を説明するための模式的な平面図である。
【図５】図５の（Ａ）は、実施例１の表示装置において、表示素子形成領域に対する発光部の配置を説明するための模式的な平面図である。図５の（Ｂ）は、実施例１の表示装置において、表示素子１１０1における駆動回路と発光部の接続を説明するための模式的な平面図である。図５の（Ｃ）は、実施例１の表示装置において、表示素子１１０2における駆動回路と発光部の接続を説明するための模式的な平面図である。
【図６】図６の（Ａ）は、１つの走査線に接続されたＮ個の表示素子の接続関係を説明するための、表示装置の一部の模式的な平面図である。図６の（Ｂ）は、表示装置を全白表示としたときの、各表示素子における明部と暗部の配置を説明するための模式的な平面図である。
【図７】図７の（Ａ）は、いずれか一方の接続関係の表示素子のみを用いた比較例の表示装置の一部の模式的な平面図である。図７の（Ｂ）は、比較例の表示装置を全白表示としたときの、各表示素子における明部と暗部の配置を説明するための模式的な平面図である。
【図８】図８の（Ａ）は、隣接する走査線において表示素子の接続関係を交互に入れ替えた構成の表示装置を全白表示としたときの、各表示素子における明部と暗部の配置を説明するための模式的な平面図である。図８の（Ｂ）は、走査線ＳＣＬm-1においては群の構成を−Ｘ方向に１表示素子分シフトし、走査線ＳＣＬm+1においては群の構成を＋Ｘ方向に１表示素子分シフトした構成の表示装置を全白表示としたときの、各表示素子における明部と暗部の配置を説明するための模式的な平面図である。
【図９】図９は、実施例２の表示装置の概念図である。
【図１０】図１０の（Ａ）は、１つの走査線に接続されたＮ個の表示素子の接続関係と、表示装置を全白表示としたときの各表示素子における明部と暗部の配置を説明するための模式的な平面図である。図１０の（Ｂ）は、隣接する走査線において表示素子の接続関係を交互に入れ替えた構成の表示装置を全白表示としたときの、各表示素子における明部と暗部の配置を説明するための模式的な平面図である。
【図１１】図１１の（Ａ）は、走査線ＳＣＬm-1においては群の構成を−Ｘ方向に１表示素子分シフトし、走査線ＳＣＬm+1においては群の構成を＋Ｘ方向に１表示素子分シフトした構成の表示装置を全白表示としたときの、各表示素子における明部と暗部の配置を説明するための模式的な平面図である。図１１の（Ｂ）は、赤色副画素と緑色副画素を表示素子１１０1から構成し、青色副画素を表示素子１１０2から構成した構成の表示装置を全白表示としたときの、各表示素子における明部と暗部の配置を説明するための模式的な平面図である。
【図１２】図１２は、実施例３の表示装置の概念図である。
【図１３】図１３の（Ａ）は、１つの走査線に接続されたＮ個の表示素子の接続関係と、表示装置を全白表示としたときの各表示素子における明部と暗部の配置を説明するための模式的な平面図である。図１３の（Ｂ）は、隣接する走査線において表示素子の接続関係を交互に入れ替えた構成の表示装置を全白表示としたときの、各表示素子における明部と暗部の配置を説明するための模式的な平面図である。
【図１４】図１４は、実施例４の表示装置の概念図である。
【図１５】図１５は、図１４に示す表示素子４１０の等価回路図である。
【図１６】図１６の（Ａ）は、実施例４の表示装置において、表示素子形成領域に対する駆動回路の配置を説明するための模式的な平面図である。図１６の（Ｂ）は、実施例４の表示装置において、表示素子形成領域に対する発光部の配置を説明するための模式的な平面図である。図１６の（Ｃ）は、実施例４の表示装置において、表示素子４１０における駆動回路と発光部の接続を説明するための模式的な平面図である。
【図１７】図１７の（Ａ）は、１つの走査線に接続されたＮ個の表示素子の接続関係と、実施例４の表示装置を全白表示としたときの各表示素子における明部と暗部の配置を説明するための模式的な平面図である。図１７の（Ｂ）は、隣接する走査線において表示素子の接続関係を交互に入れ替えた構成の表示装置を全白表示としたときの、各表示素子における明部と暗部の配置を説明するための模式的な平面図である。
【図１８】図１８の（Ａ）及び（Ｂ）は、赤色で発光する副画素を構成する表示素子のみが第１の範疇の表示素子、及び、第２の範疇の表示素子に分類される構成であるときの、各表示素子における明部と暗部の配置を説明するための模式的な平面図である。図１８の（Ａ）は図１７の（Ａ）に対応する図であり、図１８の（Ｂ）は図１７の（Ｂ）に対応する図である。
【図１９】図１９は、駆動回路を備えた有機ＥＬ表示素子を用いた、アクティブマトリクス方式の表示装置の概念図である。
【図２０】図２０は、有機ＥＬ表示素子の等価回路図である。
【符号の説明】
【０１１８】
１，２，３，４・・・表示装置、１０・・・有機ＥＬ表示素子、１１・・・駆動回路、１２・・・発光部、２０・・・支持体、２１・・・層間絶縁層、２２1，２２2・・・アノード電極、２３・・・第２層間絶縁層、２４1，２４2・・・有機層、２５・・・カソード電極、２６・・・基板、１００・・・電源部、１０１・・・走査回路、１０２・・・信号出力回路、１１０・・・表示素子、１１０1・・・第１番目の表示素子、１１０2・・・第２番目の表示素子、１１１1・・・第１番目の駆動回路、１１１2・・・第２番目の駆動回路、１１２1・・・第１番目の発光部、１１２2・・・第２番目の発光部、４１０・・・表示素子、１１０1・・・第１番目の表示素子、４１１・・・駆動回路、４１２・・・発光部、ＳＣＬ・・・走査線、ＤＴＬ・・・データ線、ＰＳ１，ＰＳ２・・・給電線、ＣEL1・・・第１番目の発光部の容量、ＣEL2・・・第２番目の発光部の容量、ＣEL，ＣEL'・・・発光部の容量、Ｃ1・・・容量、ＴＲW・・・書込みトランジスタ、ＴＲD・・・駆動トランジスタ、ＴＲD1・・・（第１）駆動トランジスタ、ＴＲD2・・・（第２）駆動トランジスタ
【図１】
2010139966.tif 000003
【図２】
2010139966.tif 000004
【図３】
2010139966.tif 000005
【図４】
2010139966.tif 000006
【図５】
2010139966.tif 000007
【図６】
2010139966.tif 000008
【図７】
2010139966.tif 000009
【図８】
2010139966.tif 000010
【図９】
2010139966.tif 000011
【図１０】
2010139966.tif 000012
【図１１】
2010139966.tif 000013
【図１２】
2010139966.tif 000014
【図１３】
2010139966.tif 000015
【図１４】
2010139966.tif 000016
【図１５】
2010139966.tif 000017
【図１６】
2010139966.tif 000018
【図１７】
2010139966.tif 000019
【図１８】
2010139966.tif 000020
【図１９】
2010139966.tif 000021
【図２０】
2010139966.tif 000022